(57)【要約】【課題】空気や水など各種緩衝材を充填しているため、パッド部を利用者の鼻背部に快適に密着させることができるとともに、眼鏡のフレームと鼻パッドとを接続して設けるため、鼻パッドの部分だけを交換することができ、製造方法が簡単な眼鏡のフレームに設ける鼻パッドを提供する。【解決手段】眼鏡のフレームに接続した鼻当て部材と、緩衝材を充填し、該鼻当て部材の側面に設けて利用者の鼻背部に密着するパッド部とを具えてなる。【選択図】図３
0003117771.tif 000002
【実用新案登録請求の範囲】
【請求項１】
眼鏡のフレームに接続した鼻当て部材と、
緩衝材を充填し、該鼻当て部材の側面に設けて利用者の鼻背部に密着するパッド部とを具えてなることを特徴とする鼻パッド。
【請求項２】
前記鼻当て部材は、パッド部と一体に成型することを特徴とする請求項１に記載する鼻パッド。
【請求項３】
前記鼻当て部材は、内部に側面からもう一方の側面に貫通する注入管を設けてなり、注射管を注入管に挿入して鼻当て部材の側面に設けられたパッド部に緩衝材を注入することを特徴とする請求項２に記載する鼻パッド。
【請求項４】
前記注入管は、側壁と、板とを具えてなり、該側壁は鼻当て部材の側面からもう一方の側面に設けられたパッド部へ貫通し、注射管で緩衝材をパッド内に注入するために供し、該側壁の間にはパッド部に充填する緩衝材の流出を防ぐため粘着質の樹脂材が充填され、該板が側壁の貫通する鼻当て部材にパッド部が設けられている側面に突出して設けられているため、注射管を挿入しすぎることを防ぐことを特徴とする請求項３に記載する鼻パッド。
【請求項５】
前記鼻当て部材は、眼鏡のフレームと一体に成型することを特徴とする請求項１に記載する鼻パッド。
【請求項６】
前記鼻当て部材は、接続部材を通して眼鏡のフレームと接続し、該接続部材とフレームとは螺子で固定するか、もしくは係合部材で係合することを特徴とする請求項１に記載する鼻パッド。
【請求項７】
前記鼻当て部材とパッド部は、接着剤で粘着することを特徴とする請求項１に記載する鼻パッド。
【請求項８】
前記緩衝材は、空気、水、もしくはオイル質の液体からなることを特徴とする請求項１に記載する鼻パッド。
【請求項９】
前記パッド部は外観が水滴状を呈し、厚さを具えた弾性の材質から形成することを特徴とする請求項１に記載する鼻パッド。
【請求項１０】
鼻当て部材と、
該鼻当て部材の側面に設けられ、利用者の鼻背部に貼着し、充填空間を具えてなるパッド部とを具えてなり、該鼻当て部材は、側面に設けられたパッド部まで貫通し、充填空間内に緩衝材を充填するための側壁を具えてなり、利用者の鼻背部に合わせてパッド部の高さなどを調整することができる構造を特徴とする鼻パッド。
【請求項１１】
前記鼻当て部材は、眼鏡のフレームと接続して設けられることを特徴とする請求項１０に記載する鼻パッド。
【考案の詳細な説明】
【技術分野】
【０００１】
この考案は、鼻パッドに関し、特に眼鏡のフレームで鼻の両側に貼着して眼鏡のフレームの位置を固定する眼鏡のフレームに設けられる鼻パッドに関する。
【背景技術】
【０００２】
図１、２に、従来の眼鏡のフレームにおける鼻パッドを開示する。従来の鼻パッド１０は、鼻当て部材１１からなり、一般的な眼鏡のフレームに取り付ける場合、該鼻当て部材１１の側面に接続部材１２を設け、螺子もしくはその他の方法で接続部材１２を通して鼻当て部材１１を眼鏡フレーム（図示しない）に取り付ける。
【０００３】
しかしながら、従来の鼻当て部材１１は、上下が同じ厚さに形成され、東洋人の鼻が西洋人に比べて低いため、眼鏡を着用している時に、眼鏡が鼻背部の下方向に移動して、利用者の目と眼鏡の焦点が合わなくなる。よって、利用者は適宜に視力を矯正することができない。また、汗をかいた場合や運動時にも眼鏡が滑り落ちるため、眼鏡がはずれて破損する。
【０００４】
そこで各業者は眼鏡が鼻背部の下方向へ滑り落ちることを防ぐため、多様な滑り止めを設けた鼻当て部材１１を開発したが、従来の鼻パッド１０は鼻当て部材１１を利用者の鼻背部に完全に密着させることができない。
【０００５】
また、従来の一体成型の眼鏡フレームにおける改良方法はいずれも、フレームを一体に成型する過程において、中空の鼻パッドを形成することにより、外観上、鼻パッドの高さ、もしくは形状を適宜に調整することができる。しかしながら、中空の鼻パッドを形成するためには高度なプラスチック射出成型技術が必要なため、フレームの製造コストが大幅に増加する。また、鼻パッドとフレームが一体に成型されているため、鼻パッドが破損もしくは鼻パッドを交換する場合には、フレームも新しいものに交換しなければならず、実用的でない。
【考案の開示】
【考案が解決しようとする課題】
【０００６】
この考案は空気や水など各種緩衝材を充填しているため、パッド部を利用者の鼻背部に快適に密着させることができるとともに、眼鏡のフレームと鼻パッドとを接続して設けるため、鼻パッドの部分だけを交換することができ、製造方法が簡単な眼鏡のフレームに設ける鼻パッドを提供することを課題とする。
【課題を解決するための手段】
【０００７】
そこで本考案者は、従来の技術に鑑み鋭意研究を重ねた結果、眼鏡のフレームに接続した鼻当て部材と、緩衝材を充填し、該鼻当て部材の側面に設けて利用者の鼻背部に密着するパッド部とを具えてなる眼鏡のフレームに設けてなる鼻パッドの構造によって課題を解決できる点に着眼し、係る知見に基づき本考案を完成させた。
以下、この考案について具体的に説明する。
【０００８】
請求項１に記載する眼鏡のフレームに接続した鼻当て部材と、緩衝材を充填し、該鼻当て部材の側面に設けて利用者の鼻背部に密着するパッド部とを具えてなる。
【０００９】
請求項２に記載する鼻パッドは、請求項１における鼻当て部材が、パッド部と一体に成型する。
【００１０】
請求項３に記載する鼻パッドは、請求項２における鼻当て部材が、内部に側面からもう一方の側面に貫通する注入管を設けてなり、注射管を注入管に挿入して緩衝材を注入する。
【００１１】
請求項４に記載する鼻パッドは、請求項３における注入管が、側壁と、板とを具えてなり、該側壁は鼻当て部材の側面からもう一方の側面に設けられたパッド部へ貫通し、注射管で緩衝材をパッド内に注入するために供し、該側壁の間にはパッド部に充填する緩衝材の流出を防ぐため粘着質の樹脂材が充填され、該板が側壁の貫通する鼻当て部材にパッド部が設けられている側面に突出して設けられているため、注射管を挿入しすぎることを防ぐ。
【００１２】
請求項５に記載する鼻パッドは、請求項１における鼻当て部材が、眼鏡のフレームと一体に成型する。
【００１３】
請求項６に記載する鼻パッドは、請求項１における鼻当て部材が、接続部材を通して眼鏡のフレームと接続し、該接続部材とフレームとは螺子で固定するか、もしくは係合部材で係合する。
【００１４】
請求項７に記載する鼻パッドは、請求項１における鼻当て部材とパッド部が、接着剤で粘着する。
【００１５】
請求項８に記載する鼻パッドは、請求項１における緩衝材が、空気、水、もしくはオイル質の液体からなる。
【００１６】
請求項９に記載する鼻パッドは、請求項１におけるパッド部が、外観が水滴状を呈し、厚さを具えた弾性の材質から形成する。
【００１７】
請求項１０に記載する鼻パッドは、鼻当て部材と、該鼻当て部材の側面に設けられ、利用者の鼻背部に貼着し、充填空間を具えてなるパッド部とを具えてなり、該鼻当て部材は、側面に設けられたパッド部まで貫通し、充填空間内に緩衝材を充填するための側壁を具えてなり、利用者の鼻背部に合わせてパッド部の高さなどを調整することができる。
【００１８】
請求項１１に記載する鼻パッドは、請求項１０における鼻当て部材が、眼鏡のフレームと接続して設けられる。
【考案の効果】
【００１９】
この考案の鼻パッドは、緩衝材を充填したパッドを具えてなるため、パッド部が利用者の鼻背部に適宜に密着して眼鏡フレームが下方向に滑り落ちることを防ぐため、フレーム着用時の快適さを上昇させるとともに、利用者の視力矯正に有効な効果を有する。
【００２０】
また、この考案の鼻パッドは、パッド部に充填する緩衝材の色を変えることにより、フレームのデザイン性、美観、ファッション性を高める効果を有する。
【００２１】
さらに、この考案の鼻パッドは、製造が簡単で、どのようなフレームにも応用することができるため、実用的で、製造コストを抑える効果を有する。
【考案を実施するための最良の形態】
【００２２】
この考案は、眼鏡のフレームで鼻の両側に貼着して眼鏡のフレームの位置を固定する鼻パッドであって、眼鏡のフレームに接続した鼻当て部材と、緩衝材を充填し、該鼻当て部材の側面に設けて利用者の鼻背部に密着するパッド部とを具えてなる構造により、パッド部を利用者の鼻背部に快適に密着させることができるとともに、眼鏡のフレームと鼻パッドとを接続して設けるため、鼻パッドの部分だけを交換することができ、製造方法が簡単であるという目的を達成した。
係る構成の眼鏡のフレームに設ける鼻パッドついて、その構造と特徴を詳述するために具体的な実施例を挙げ、以下に説明する。
【実施例】
【００２３】
図３、４、５に、この考案の鼻パッドの斜視図、平面図、側面図を開示する。図面によると、この考案の鼻パッド２０は、鼻当て部材２１と、パッド部２２からなる。該パッド部２２は、鼻当て部材２１の側面に設けられ、緩衝材を充填するために供する充填空間２３具えてなるため、該鼻パッド２０を利用者の鼻背部に密着させることができる。また、該鼻パッド２０と眼鏡のフレームは接続して組み合わせる。該鼻当て部材２１のパッド部２２が設けられていないもう一方の側面に接続部材２４を設け、該接続部材２４と眼鏡フレーム（図示しない）とを螺子（図示しない）固定もしくはその他の係合部材（図示しない）で係合して接続する。
【００２４】
該鼻当て部材２１とパッド部２２は、一体に成型するか、それぞれ別々に製造した後で互いに粘着させてもよい。該パッド部２２は、外観が水滴状を呈し、厚さを具えた弾性の材質からなるため、利用者の鼻背部に接触する場合に、不快感を与えることなく密着する。該パッド部２２に充填する緩衝材は、空気や水もしくは各種オイル質の液体など異なる需要に応じて変更することができる。緩衝材に空気を使用する場合にはパッド部２２の弾性が増加し、眼鏡の重量を減らすことができるため、眼鏡が鼻背部から滑り落ちることを防止し、安全で快適である。また、緩衝材に水もしくはその他液体を使用する場合にはパッド部２２の柔軟性及び形状を維持する力が増加するとともに、緩衝材の色を変えることにより、スタイルを変える効果を有する。
【００２５】
図６に、この考案の他の実施例を開示する。該鼻パッド３０は、鼻当て部材３１と、パッド部３２とを具えてなる。該パッド部３２は、緩衝材を充填するために供する充填空間３８を具えてなる。前述の実施例における鼻パッド２０と異なる点は、該鼻パッド３０は、パッド部３２に設けられた充填空間３８に充填する緩衝材を調整することができることである。また、該鼻パッド３０は、鼻当て部材３１の側面からもう一方の側面に設けられたパッド部３２内に貫通する注入管３４を具えてなる。
【００２６】
図７に、該注入管３４の部分拡大図を開示する。図面によると、該注入管３４は、側壁３５と、板３６とを具えてなる。該側壁３５は、鼻当て部材３１とパッド部３２をつなぐように貫通して形成され、側壁３５の間に粘着質の樹脂材３９を充填して、該側壁３５を塞いで充填空間３８内部に充填する緩衝材が流出することを防ぐ。該板３６は、貫通する側壁３５が設けられる鼻当て部材３１の側面の外側に設けられ、Ｌ字状を呈するように形成され、一端が側壁３５に接続し、他端がパッド部３２の充填空間３８内に突出して設けられる。
【００２７】
図８に、注射管３７を側壁３５間に挿入して緩衝材を注入する状況を示した部分拡大図を開示する。図面によると、注射管３７を側壁３５間に挿入する場合、側壁３５間の空間が注射管３７の針の部分よりも広いため、注射管３７の針が側壁３５内の粘着質の樹脂材３９を容易に貫通し、且つ樹脂材３９が側壁３５の外へ押し出されることがなく、粘着質の樹脂材３９が注射管３７の針を塞ぐこともない。また、板３６がＬ字状を呈し、一端が鼻当て部材３１から突出して設けられているため、鼻当て部材３１と板３６との空間から注射管３７がスムーズに緩衝材をパッド部３２の充填空間３８内に注入することができるとともに、板３６が側壁３５からパッド部３２に通ずる部分を遮断しているため、注射管３７を側壁３５に挿入しすぎて、注射管３７の針がパッド部３２を刺して破壊することを防ぐ。注射管３７から０．１ｃｃの空気を注入する場合、パッド部３２の高さが０．５ミリ高くなる。このように、利用者の鼻の形状に合わせて、パッド部３２の高さを調整することができる。
【００２８】
図９に、この考案のその他の実施例を開示する。前述の実施例における鼻パッド２０、３０はいずれも全く新しい構造を具えてなる。しかしながら、一体成型の眼鏡のフレームの利用者のように鼻パッドがすでフレームに設けられている場合、もしくはフレームと鼻パッドとを接続する形式のフレームで、利用者がすでに設けられている鼻パッド１０（図１、２参照）を取り外したくない場合には、前述の実施例における鼻パッド２０、３０を利用することができない。この実施例における鼻パッド４０はパッド部４２を接着剤４３などを通してすでに設けられている鼻当て部材４１上に粘着させるだけで利用できる。よって、鼻パッドの鼻当て部材とフレームが一体に成型されている場合、もしくはそれぞれを接続する形式のフレームの場合など、どのようなフレームでも利用者の鼻背部に対応する位置に該パッド部４２を粘着してフレームの高さを維持し、滑り止め効果を増加させ、利用者の快適さを上昇させることができる。
【００２９】
前述したそれぞれの鼻パッドはいずれも水滴状の円錐形を呈し、厚みを具えて形成されるため、額に近い部分が狭く、口元に近づくにつれて幅が広くなる鼻の鼻背部に合わせることができ、空気、水、もしくは各種液体などの緩衝材を充填し、弾性を具えて形成される。よって、フレームの重さが抑えられるか、軽減もしくは分散さされるとともに、眼鏡フレームの利用者の鼻背部への密着度と快適さが上昇されて、フレームの高さが維持され、下方向に滑り落ちることを防止するため視力矯正の効果及び安全性を高める効果を有する。
【００３０】
上述の構造により、この考案の鼻パッドは弾性の水滴状の円錐形を呈して形成されるパッドを具えてなり、利用者の鼻背部に適宜な密着度を提供する。該鼻パッドは各種緩衝材を充填してなる弾性のパッドをフレームに増設することにより、フレーム着用時の快適さを上昇させるとともに、パッド内に充填する緩衝材を様々な色に変えることによりフレームのデザイン性、美観、ファッション性を高める効果を有する。  
【図面の簡単な説明】
【００３１】
【図１】従来の鼻パッドの構造を示した斜視図である。
【図２】図１に開示した鼻パッドの示した側面図である。
【図３】この考案の鼻パッドを示した斜視図である。
【図４】図３に開示した鼻パッドを示した平面図である。
【図５】図３に開示した鼻パッドを示した側面図である。
【図６】この考案の鼻パッドの他の実施例を示した側面図である。
【図７】図６に開示した鼻パッドの斜線部分を示した拡大図である。
【図８】図６に開示した鼻パッドの斜線部分に注射管を挿入した場合を示した拡大図である。
【図９】この考案の鼻パッドのその他の実施例を示した側面図である。
【符号の説明】
【００３２】
１０      鼻パッド
１１      鼻当て部材
１２      接続部材
２０      鼻パッド
２１      鼻当て部材
２２      パッド部
２３      充填空間
２４      接続部材
３０      鼻パッド
３１      鼻当て部材
３２      パッド部
３３      接続部材
３４      注入管
３５      側壁
３６      板
３７      注射管
３８      充填空間
３９      樹脂材
４０      鼻パッド
４１      鼻当て部材
４２      パッド部
４３      接着剤
【図１】
0003117771.tif 000003
【図２】
0003117771.tif 000004
【図３】
0003117771.tif 000005
【図４】
0003117771.tif 000006
【図５】
0003117771.tif 000007
【図６】
0003117771.tif 000008
【図７】
0003117771.tif 000009
【図８】
0003117771.tif 000010
【図９】
0003117771.tif 000011